(57)【要約】      （修正有）【課題】調理スペースを確保した加熱調理器を提供する。【解決手段】加熱調理器１００Ａは、前面が開口した本体ケース３と、本体ケースの上部に設けられたトッププレート４と、トッププレートの下方に設けられた加熱手段と、本体ケースの内部に収納され、本体ケースの開口より引き出し自在なトレイ２６Ａと、本体ケースの内部に収納され、本体ケースの開口より引き出し自在な置き台３２Ａと、を備え、本体ケースの内部には、トレイが収納される第一収納室と、第一収納室の上方に位置し、置き台が収納される第二収納室と、が形成されているものである。【選択図】図１
2017187253.tif 000002
【特許請求の範囲】
【請求項１】
前面が開口した本体ケースと、
前記本体ケースの上部に設けられたトッププレートと、
前記トッププレートの下方に設けられた加熱手段と、
前記本体ケースの内部に収納され、前記本体ケースの開口より引き出し自在なトレイと、
前記本体ケースの内部に収納され、前記本体ケースの開口より引き出し自在な置き台と、を備え、
前記本体ケースの内部には、
前記トレイが収納される第一収納室と、
前記第一収納室の上方に位置し、前記置き台が収納される第二収納室と、が形成されている
加熱調理器。
【請求項２】
前記トレイには、前記本体ケースの開口を覆う前面パネルが設けられており、
前記置き台は、
前記前面パネルと一体となって動くことが可能であり、前記トレイが前記本体ケースの開口より引き出されると一緒に前方に引き出されることが可能である
請求項１に記載の加熱調理器。
【請求項３】
前記置き台は、前側の下面に置き台嵌合部を備え、
前記前面パネルには、前記置き台嵌合部と嵌合することが可能な前面パネル嵌合部を備え、
前記置き台は、
前記置き台嵌合部が前記前面パネル嵌合部と嵌合した状態では、前記トレイを前記本体ケースの開口より引き出すと一緒に前記本体ケースの開口より引き出され、
前記置き台嵌合部が前記前面パネル嵌合部と嵌合していない状態では、前記前面パネルを前記本体ケースの開口より引き出しても前記本体ケースの開口より引き出されないものである
請求項２に記載の加熱調理器。
【請求項４】
前記前面パネルは、後面側に支持部を備え、
前記置き台は、
前記第二収納室から前方に引き出された際に、前記支持部に支持されるものである
請求項２に記載の加熱調理器。
【請求項５】
前記前面パネルは、前記トレイが前記本体ケースの開口から引き出されると下降し、
前記置き台は、
前記本体ケースの開口から引き出された際に、下降した前記前面パネルの上部に支持されるものである
請求項２または３に記載の加熱調理器。
【請求項６】
前記置き台は、正面視して逆Ｕ字形状を有している
請求項１〜３のいずれか一項に記載の加熱調理器。
【請求項７】
前記置き台は、前記第一収納室の上面を覆う大きさである
請求項１〜６のいずれか一項に記載の加熱調理器。
【請求項８】
前記置き台は、防磁効果を有する素材で構成されている
請求項１〜７のいずれか一項に記載の加熱調理器。
【請求項９】
前記第一収納室は、断熱構造を有している
請求項１〜８のいずれか一項に記載の加熱調理器。
【発明の詳細な説明】
【技術分野】
【０００１】
本発明は、厨房家具に組み込まれた状態で使用される加熱調理器に関するものである。
【背景技術】
【０００２】
従来の加熱調理器において、厨房家具（キッチンカウンターともいう）に組み込まれた状態で使用されるものがある（例えば、特許文献１および２参照）。
特許文献１および２では、加熱調理器の本体ケースにグリル庫が内蔵されており、そのグリル庫は、前面に開閉自在に設けられた扉を備え、その扉を開けて内部に魚などの被加熱物が挿入され、扉を閉めて加熱調理が行われる構成となっている。
【先行技術文献】
【特許文献】
【０００３】
【特許文献１】特開２００６−２１０１４６号公報
【特許文献２】特開２０１５−１５５７７８号公報
【発明の概要】
【発明が解決しようとする課題】
【０００４】
特許文献１および２に記載の加熱調理器では、加熱調理器が組み込まれる厨房家具のサイズによっては調理時における調理スペースが小さくなってしまうため、調理スペースを確保したいという要望があった。
【０００５】
本発明は、以上のような課題を解決するためになされたもので、調理スペースを確保した加熱調理器を提供することを目的とする。
【課題を解決するための手段】
【０００６】
本発明に係る加熱調理器は、前面が開口した本体ケースと、前記本体ケースの上部に設けられたトッププレートと、前記トッププレートの下方に設けられた加熱手段と、前記本体ケースの内部に収納され、前記本体ケースの開口より引き出し自在なトレイと、前記本体ケースの内部に収納され、前記本体ケースの開口より引き出し自在な置き台と、を備え、前記本体ケースの内部には、前記トレイが収納される第一収納室と、前記第一収納室の上方に位置し、前記置き台が収納される第二収納室と、が形成されているものである。
【発明の効果】
【０００７】
本発明に係る加熱調理器によれば、本体ケースの内部に、第一収納室と、第一収納室の上方に位置する第二収納室とを形成し、第一収納室にはトレイを収納し、第二収納室には、置き台を収納する構成となっている。そして、調理器具をトレイに載置して第一収納室に収納することができ、また、第二収納室から前方に引き出された置き台に調理器具、食材、調味料などを載置することができる。そのため、調理スペースを確保することができる。
【図面の簡単な説明】
【０００８】
【図１】本発明の実施の形態１に係る加熱調理器の斜視概略図である。
【図２】本発明の実施の形態１に係る加熱調理器を組み込んだ厨房家具の全体を示す斜視概略図である。
【図３】本発明の実施の形態１に係る加熱調理器を組み込む前の厨房家具の全体を示す斜視概略図である。
【図４】本発明の実施の形態１に係る加熱調理器の平面概略図である。
【図５】図４に示す加熱調理器の第一の状態におけるＸ−Ｘ断面概略図である。
【図６】図４に示す加熱調理器の第二の状態におけるＸ−Ｘ断面概略図である。
【図７】図４に示す加熱調理器の第三の状態におけるＸ−Ｘ断面概略図である。
【図８】図４に示す加熱調理器の第四の状態におけるＸ−Ｘ断面概略図である。
【図９】本発明の実施の形態２に係る加熱調理器の引き出しレバー周辺を拡大した側面概略図である。
【図１０】本発明の実施の形態３に係る加熱調理器の第一の状態における縦断面概略図である。
【図１１】本発明の実施の形態３に係る加熱調理器の第二の状態における縦断面概略図である。
【図１２】本発明の実施の形態４に係る加熱調理器の本体ケースの収納室の正面概略図である。
【図１３】本発明の実施の形態４に係る加熱調理器の置き台が収納されている状態における斜視概略図である。
【図１４】本発明の実施の形態４に係る加熱調理器の置き台が引き出されている状態における斜視概略図である。
【発明を実施するための形態】
【０００９】
以下、本発明の実施の形態を図面に基づいて説明する。なお、以下に説明する実施の形態によって本発明が限定されるものではない。また、以下の図面では各構成部材の大きさの関係が実際のものとは異なる場合がある。
また、以下の説明において、理解を容易にするために方向を表す用語（例えば「上」、「下」、「右」、「左」、「前」、「後」等）を適宜用いるが、これは説明のためのものであって、これらの用語は本願発明を限定するものではない。また、実施の形態１〜４では、加熱調理器１００Ａ〜１００Ｄおよび厨房家具２００を正面視した状態において、「上」、「下」、「右」、「左」、「前」、「後」を使用する。
【００１０】
実施の形態１．
図１は、本発明の実施の形態１に係る加熱調理器１００Ａの斜視概略図であり、図２は、本発明の実施の形態１に係る加熱調理器１００Ａを組み込んだ厨房家具２００の全体を示す斜視概略図であり、図３は、本発明の実施の形態１に係る加熱調理器１００Ａを組み込む前の厨房家具２００の全体を示す斜視概略図であり、図４は、本発明の実施の形態１に係る加熱調理器１００Ａの平面概略図である。なお、図１は、トレイ２６Ａおよび置き台３２Ａを分解して示している。
【００１１】
本実施の形態１に係る加熱調理器１００Ａは、厨房家具（キッチンカウンターともいう）２００に組み込まれた状態で使用されるものである。図１に示すように、加熱調理器１００Ａは、その外郭を構成し、上部および前面が開口した箱体形状の本体ケース３と、この上部に固定された金属製の額縁状の外枠（図示せず）と、この外枠の上面のほぼ全体を覆うように、その上面に重ねて取り付けられたガラス製のトッププレート４と、本体ケース３の内部の形成された収納室２１に収納されるトレイ２６Ａおよび置き台３２Ａと、を備えている。なお、トレイ２６Ａは上部が開口した箱体形状を有し、置き台３２Ａは、矩形の板形状を有している。
【００１２】
トッププレート４の下側には加熱手段８が設けられている（後述する図５参照）。加熱手段８は、たとえば誘導加熱コイルであり、その上端部がトッププレート４の下面に微小間隔を置いて近接しており、誘導加熱源となる。なお、本実施の形態１では、加熱手段８が３つ設けられているが、それに限定されない。
【００１３】
また、図４に示すように、トッププレート４の上面には、各加熱手段８によって誘導加熱できる目安的な位置を表示した載置マーク８Ｌ、８Ｍ、８Ｒが印刷によりそれぞれ設けられている。そして、使用者は、載置マーク８Ｌ、８Ｍ、８Ｒの位置に鍋などの被調理物を収容する金属製の調理器具９を載置して、調理を行うことができる。また、トッププレート４の後方には、吸気口および排気口が設けられており、これらの上面には吸気口カバー７Ａおよび排気口カバー７Ｂがそれぞれ設置されている。
【００１４】
本体ケース３の内部には、加熱手段８を冷却するための空気を外部から吸気口を介して内部に取り込む送風機５４と、各加熱手段８に高周波電流を供給するためのインバーター回路基板５５と、送風機５４およびインバーター回路基板５５を制御する制御装置５６と、が設けられている。
【００１５】
トッププレート４は、前方の上面に操作部１２を備えている。操作部１２は、例えば、使用者が指などで軽く触れた時の静電容量の変化を利用して入力できる方式の各種入力キーが、左右方向、つまり横方向に一直線上に配置されており、各種の調理条件の設定、加熱動作の開始、火力調整などの各種操作を行う。また、トッププレート４には、前方の中央に透明の表示窓が設けられており、この表示窓に対応して、その近傍で真下に矩形状の表示画面２０が設けられている。この表示画面２０は、例えば液晶表示画面であり、各種の調理条件の設定値、火力情報、警報、異常情報などの各種情報が文字、記号などで表示される。
【００１６】
図２および図３に示すように、本実施の形態１に係る厨房家具２００は、例えば流し台付きであり、上面の正面視して右側には、水を出す水道２０３と、その水道２０３から出る水を一時的に貯めることができる水槽２０２とが設けられている。また、厨房家具２００の内部の正面視して左側には設置室２０１が形成されており、厨房家具２００の上面の設置室２０１に対応する位置には矩形状の上開口２０１Ａが形成されており、厨房家具２００の前面の設置室２０１に対応する位置には矩形状の前開口２０１Ｂが形成されている。そして、厨房家具２００の上面に形成された上開口２０１Ａから加熱調理器１００Ａの本体ケース３を入れて、トッププレート４を上開口２０１Ａの口縁部に載せることで、加熱調理器１００Ａが厨房家具２００に組み込まれる。なお、前開口２０１Ｂは、組み込まれた加熱調理器１００Ａの前面を露出させるためのものである。また、上開口２０１Ａおよび前開口２０１Ｂの大きさは、キッチンの規格によって所定の寸法に形成されている。
【００１７】
図１に示すように、本体ケース３の内部の正面視して左側には収納室２１が形成されており、本体ケース３の前面の収納室２１に対応する位置には挿入口２２が形成されている。
なお、挿入口２２は、本発明の「本体ケースの前面開口」に相当する。
【００１８】
図５は、図４に示す加熱調理器１００Ａの第一の状態におけるＸ−Ｘ断面概略図であり、図６は、図４に示す加熱調理器１００Ａの第二の状態におけるＸ−Ｘ断面概略図であり、図７は、図４に示す加熱調理器１００Ａの第三の状態におけるＸ−Ｘ断面概略図であり、図８は、図４に示す加熱調理器１００Ａの第四の状態におけるＸ−Ｘ断面概略図である。
【００１９】
なお、図５に示す第一の状態は、トレイ２６Ａが第一収納室２１Ａに収納されており、置き台３２Ａが第二収納室２１Ｂに収納されている状態であり、図６に示す第二の状態は、トレイ２６Ａが第一収納室２１Ａから完全に引き出されており、置き台３２Ａが第二収納室２１Ｂに収納されている状態であり、図７に示す第三の状態は、トレイ２６Ａが第一収納室２１Ａから完全に引き出されており、置き台３２Ａが第二収納室２１Ｂから途中まで引き出されている状態であり、図８に示す第四の状態は、トレイ２６Ａが第一収納室２１Ａから完全に引き出されており、置き台３２Ａが第二収納室２１Ｂから完全に引き出されている状態である。
【００２０】
図５〜図８に示すように、収納室２１は、第一収納室２１Ａと、第一収納室２１Ａの上方に形成された第二収納室２１Ｂとで構成されており、それらは仕切り（図示せず）によって仕切られている。また、本体ケース３の第一収納室２１Ａを形成する部分に断熱材を貼ることなどにより、第一収納室２１Ａは断熱構造を有している。
【００２１】
加熱調理器１００Ａは、調理器具９が載置される、前方に引き出し自在なトレイ２６Ａと、調理器具９が載置される、前方に引き出し自在な置き台３２Ａと、を備えている。トレイ２６Ａは、本体ケース３の内部に形成された第一収納室２１Ａに収納され、置き台３２Ａは、同じく本体ケース３の内部に形成された第二収納室２１Ｂに収納される。また、トレイ２６Ａは、耐熱性素材で構成されており、調理後の高温の状態となっている調理器具９を載置することができるようになっている。
【００２２】
また、置き台３２Ａは、第一収納室２１Ａの上面を覆う大きさになっており、置き台３２Ａの上方に設けられている加熱手段８から置き台３２Ａの下方に形成されている第一収納室２１Ａを断熱することができる。また、加熱手段８が誘導加熱コイルである場合は、置き台３２Ａを、アルミなど防磁効果を有する素材で構成することにより、置き台３２Ａの上方に設けられている加熱手段８から置き台３２Ａの下方に形成されている第一収納室２１Ａを防磁することができる。また、置き台３２Ａを、アルミなどの熱伝導率のよい素材で構成することにより、解凍プレートとして利用することができる。
【００２３】
トレイ２６Ａの前端部には、長方形状を有し、プラスチックの一体成型で形成された前面パネル３０が設けられている。図５に示すように、トレイ２６Ａが第二収納室２１Ｂに収納されている状態では、前面パネル３０は、本体ケース３の前面に形成された挿入口２２を覆うようになっている。また、厨房家具２００の中に加熱調理器１００Ａを組み込んだ際、図２に示すように、前面パネル３０は、その下方に隣接して存在する扉または引出しなどの家具表面材２０４と、面一状態となる。
【００２４】
また、図１に示すように、本体ケース３の前面の正面視して右側には、飾り板４４が設けられている。この飾り板４４は、矩形状を有しており、全体がプラスチックの一体成型で形成されており、本体ケース３の前面において、収納室２１の挿入口２２より右側を覆うものである。飾り板４４は、前面パネル３０と同じ厚みを有し、前面パネル３０の右側に隣接するように本体ケース３の前壁面に固定されている。なお、前面パネル３０および飾り板４４の高さ寸法は同じであり、また、それら両者の表面の色も同じである。さらに、飾り板４４の前面の位置は、前面パネル３０の前面の位置と合わせてある。
【００２５】
以上のように、加熱調理器１００Ａを厨房家具２００に組み込んだ際、前面パネル３０および飾り板４４は、平面視して家具表面材２０４と一直線上に並ぶ位置となる。そして、前面パネル３０、飾り板４４、および、家具表面材２０４は、厨房家具２００を前方から、または斜め前方から見ても、統一された平面になっているような意匠感覚を使用者に呈することができる。
【００２６】
図５および図６に示すように、前面パネル３０はその上端部に、トレイ２６Ａを前後方向に移動させる際に使用者が指を掛けるハンドル３１を備えている。なお、このハンドル３１は必ずしも必要とせず、例えば、前面パネル３０に指を掛ける穴、貫通孔などを形成して代用してもよい。
【００２７】
トレイ２６Ａは、その前側が前面パネル３０に連結されており、前面パネル３０の前後方向の移動に伴って第一収納室２１Ａの内部を前後方向に移動する。このトレイ２６Ａには、調理器具９、食材、調味料などを載置することができ、前面パネル３０を前方に引き出した状態で調理器具９をトレイ２６Ａに載置し、そのまま前面パネル３０を後方に押し出すことで、調理器具９を第一収納室２１Ａに収納することが可能となっている。また、前面パネル３０を前方に引き出すと、トレイ２６Ａに載置されている調理器具９も引き出されて外部に露出するようになっている。
【００２８】
なお、トレイ２６Ａは、耐熱性素材で構成されているため、調理後の高温の状態となっている調理器具９を載置することができる。また、第一収納室２１Ａは断熱構造を有しているため、保温室として利用可能であり、調理後の調理器具９を収納した際に保温することができる。
【００２９】
なお、前面パネル３０とトレイ２６Ａとは、接着材で一体に連結してもよいし、連結金具で連結し、使用者がトレイ２６Ａの清掃時に、トレイ２６Ａと前面パネル３０とを分離できるようにしてもよい。
【００３０】
図７および図８に示すように、置き台３２Ａは、第二収納室２１Ｂ内を前後方向に移動するようになっており、置き台３２Ａの前側の部分を把持することにより、第二収納室２１Ｂの中から前方に引き出すことが可能になっている。また、前面パネル３０の後面側には、側面視してＬ字状の支持部３４が設けられており、そして、置き台３２Ａは、第二収納室２１Ｂの中から前方に引き出された際に、前側の下面が支持部３４によって支持されるようになっている。
【００３１】
以上のように、本実施の形態１に係る加熱調理器１００Ａによれば、本体ケース３にグリル庫を内蔵する代わりに、本体ケース３の内部に、第一収納室２１Ａと、第一収納室２１Ａの上方に位置する第二収納室２１Ｂとを形成し、第一収納室２１Ａにはトレイ２６Ａを収納し、第二収納室２１Ｂには、置き台３２Ａを収納する構成となっている。そして、調理器具９をトレイ２６Ａに載置して第一収納室２１Ａに収納することができ、また、第二収納室２１Ｂから前方に引き出された置き台３２Ａに調理器具９、食材、調味料などを置くことができる。そのため、調理スペースを確保することができる。
【００３２】
また、置き台３２Ａは、第一収納室２１Ａの上面を覆う大きさになっているため、置き台３２Ａの上方に設けられている加熱手段８から置き台３２Ａの下方に形成されている第一収納室２１Ａを断熱することができる。
また、第一収納室２１Ａは断熱構造を有しているため保温室として利用可能であり、調理後の調理器具９を収納した際に保温することができる。
また、加熱手段８が誘導加熱コイルである場合は、置き台３２Ａを、防磁効果を有する素材で構成することにより、置き台３２Ａの上方に設けられている加熱手段８から置き台３２Ａの下方に形成されている第一収納室２１Ａを防磁することができる。
【００３３】
なお、本実施の形態１では、第一収納室２１Ａは調理器具９を収納するスペースとなっているが、それに限定されず、グリル庫であってもよい。つまり、第一収納室２１Ａは、調理器具９を収納するスペースに、第二収納室２１Ｂの置き台３２Ａに載置された食材などの被加熱物を加熱する加熱装置が設けられた構造であってもよい。
【００３４】
実施の形態２．
以下、本発明の実施の形態２について説明するが、実施の形態１と重複するものについては（一部の）説明を省略し、実施の形態１と同じ部分または相当する部分には同じ符号を付す。
【００３５】
図９は、本発明の実施の形態２に係る加熱調理器１００Ｂの引き出しレバー４０周辺を拡大した側面概略図である。
本実施の形態２では、図７に示すように、前面パネル３０の後面側に支持部３４が設けられておらず、ハンドル３１に引き出しレバー４０が設けられている。この引き出しレバー４０は、ハンドル３１の前面側から後面側に向かって貫通しており、また、上下に移動可能に設けられている。ハンドル３１の後面側には、上方に向かって突出した凸部４１が設けられている。また、置き台３２Ａは、前側の下面に上方に向かって凹んだ凹部３３が形成されている。そして、置き台３２Ａの凹部３３と、引き出しレバー４０の凸部４１とは、互いに嵌合するようになっている。
【００３６】
なお、凸部４１は本発明の「前面パネル嵌合部」に相当し、凹部３９は本発明の「置き台嵌合部」に相当する。
【００３７】
本実施の形態２に係る加熱調理器１００Ｂは、引き出しレバー４０の状態に応じて、前面パネル３０を前方に引き出すと、置き台３２Ａも一緒に前方に引き出されるものである。
具体的には、図９（Ａ）に示すように、引き出しレバー４０が下に移動した状態では、引き出しレバー４０の凸部４１が置き台３２Ａの下面に形成された凹部３３と嵌合しないため、前面パネル３０を前方に引き出しても置き台３２Ａは前方に引き出されない。一方、図９（Ｂ）に示すように、引き出しレバー４０が上に移動した状態では、引き出しレバー４０の凸部４１が置き台３２Ａの凹部３３と嵌合する。そして、図９（Ｃ）に示すように、引き出しレバー４０の凸部４１が置き台３２Ａの凹部３３と嵌合した状態のまま前面パネル３０を前方に引き出すと、置き台３２Ａも一緒に前方に引き出される。また、このとき置き台３２Ａは、前側の下面が引き出しレバー４０によって支持されるようになっている。
【００３８】
以上のように、本実施の形態２に係る加熱調理器１００Ｂによれば、引き出しレバー４０の状態に応じて、前面パネル３０を前方に引き出すと、置き台３２Ａも一緒に前方に引き出されるようになっている。そのため、置き台３２Ａを容易に前方に引き出すことができる。また、置き台３２Ａを使用したい場合は、前面パネル３０と一緒に置き台３２Ａを前方に引き出すことができ、第一収納室２１Ａから調理器具９を出し入れしたい場合、つまりトレイ２６Ａのみを前方に引き出したい場合には、前面パネル３０と一緒に前方に置き台３２Ａを引き出さないようにできる。そのため、トレイ２６Ａと置き台３２Ａとの使い分けを容易に行うことができる。また、トレイ２６Ａを引き出した際に、支持部３４の代わりに引き出しレバー４０でトレイ２６Ａを支持することができる。
【００３９】
なお、本実施の形態２では、引き出しレバー４０に凸部４１が設けられ、置き台３２Ａに凹部３３が設けられているが、それに限定されず、引き出しレバーに凹部が設けられ、置き台に凸部が設けられ、引き出しレバーの凹部が置き台の凸部と嵌合する構成でもよい。この場合、引き出しレバーの凹部は本発明の「前面パネル嵌合部」に相当し、置き台の凸部は本発明の「置き台嵌合部」に相当する。
また、前面パネルに凸部または凹部を設け、置き台に前面パネルの凸部または凹部と嵌合する凹部または凸部を設けてもよい。この場合、前面パネルの凸部または凹部は本発明の「前面パネル嵌合部」に相当し、置き台の凹部または凸部は本発明の「置き台嵌合部」に相当する。
【００４０】
実施の形態３．
以下、本発明の実施の形態３について説明するが、実施の形態１および２と重複するものについては（一部の）説明を省略し、実施の形態１および２と同じ部分または相当する部分には同じ符号を付す。
【００４１】
図１０は、本発明の実施の形態３に係る加熱調理器１００Ｃの第一の状態における縦断面概略図であり、図１１は、本発明の実施の形態３に係る加熱調理器１００Ｃの第二の状態における縦断面概略図である。なお、図１０に示す第一の状態は、トレイが第一収納室２１Ａから完全に引き出されており、前面パネル３０およびハンドル３１が傾いていない状態であり、図１１に示す第二の状態は、トレイが第一収納室２１Ａから完全に引き出されており、前面パネル３０およびハンドル３１が傾いている状態である。
【００４２】
本実施の形態３では、図１０および図１１に示すように、前面パネル３０の後面側に支持部３４が設けられておらず、トレイが第一トレイ部２６Ｂと第二トレイ部２６Ｃとで構成されている。第一トレイ部２６Ｂは、第二トレイ部２６Ｃよりも前側に位置し、その前側が前面パネル３０に連結されており、また、第二トレイ部２６Ｃに回転可能に軸支されている。一方、第二トレイ部２６Ｃは、第一トレイ部２６Ｂよりも後側に位置しており、前側に位置している第一トレイ部２６Ｂを回転可能に軸支している。
【００４３】
第一トレイ部２６Ｂは、水平位置から斜め下の位置まで回転して移動するように設けられており、第一トレイ部２６Ｂが斜め下の位置に移動した際に、前面パネル３０および前面パネル３０の上端部に備えたハンドル３１が斜め下に傾き、ハンドル３１の上部が下降するようになっている。そして、前面パネル３０およびハンドル３１が斜め下に傾いた状態で、第二収納室２１Ｂの中から前方に引き出された置き台３２Ａの前側の下面が、下降したハンドル３１の上部によって支持されるようになっている。
【００４４】
以上のように、本実施の形態３に係る加熱調理器１００Ｃによれば、トレイ２６Ａを引き出した際に、支持部３４の代わりにハンドル３１でトレイ２６Ａを支持することができる。
【００４５】
なお、本実施の形態３では、前面パネル３０はその上端部にハンドル３１を備えている構成としたが、このハンドル３１は必ずしも必要とせず、例えば、前面パネル３０に指を掛ける穴、貫通孔などを形成して代用してもよい。その場合は、置き台３２Ａの前側の下面が、前面パネル３０の上部によって支持されるようになる。
【００４６】
実施の形態４．
以下、本発明の実施の形態４について説明するが、実施の形態１〜３と重複するものについては（一部の）説明を省略し、実施の形態１〜３と同じ部分または相当する部分には同じ符号を付す。
図１２は、本発明の実施の形態４に係る加熱調理器１００Ｄの本体ケース３の収納室２１の正面概略図であり、図１３は、本発明の実施の形態４に係る加熱調理器１００Ｄの置き台３２Ｂが収納されている状態における斜視概略図であり、図１４は、本発明の実施の形態４に係る加熱調理器１００Ｄの置き台３２Ｂが引き出されている状態における斜視概略図である。なお、図１３および図１４は、トレイ２６Ａを分解して示している。
【００４７】
本実施の形態４では、図１２〜図１４に示すように、置き台３２Ｂは、矩形の板形状の左右端部が下方に９０°、またはほぼ９０°折り曲げられており、正面視して逆Ｕ字形状を有している。そのため、置き台３２Ｂは、実施の形態１〜３の左右端部が折り曲げられていない矩形の板形状である置き台３２Ａに比べ、高い剛性を有しており、変形しにくくなっている。そのため、置き台３２Ｂが前方に引き出された状態において、置き台３２Ｂの前側を支持するものがなくても、置き台３２Ｂの後側を本体ケース３の第二収納室２１Ｂを形成する部分で支持するのみで、置き台３２Ｂに調理器具９、食材、調味料などを載置することができる。
【００４８】
以上のように、本実施の形態４に係る加熱調理器１００Ｄによれば、置き台３２Ｂが前方に引き出された状態において、置き台３２Ｂを支持するものがなくても、置き台３２Ｂに調理器具９、食材、調味料などを載置することができるため、部品点数を削減することができる。
【００４９】
なお、本実施の形態４では、置き台３２Ｂは、正面視して逆Ｕ字形状を有しているとしたが、それに限定されず、変形しにくく、置き台３２Ｂを支持するものがなくても、置き台３２Ｂに調理器具９、食材、調味料などを載置することができる形状であればよい。
【符号の説明】
【００５０】
３  本体ケース、４  トッププレート、７Ａ  吸気口カバー、７Ｂ  排気口カバー、８  加熱手段、８Ｌ  載置マーク、８Ｍ  載置マーク、８Ｒ  載置マーク、９  調理器具、１２  操作部、２０  表示画面、２１  収納室、２１Ａ  第一収納室、２１Ｂ  第二収納室、２２  挿入口、２６Ａ  トレイ、２６Ｂ  第一トレイ部、２６Ｃ  第二トレイ部、３０  前面パネル、３１  ハンドル、３２Ａ  置き台、３２Ｂ  置き台、３３  凹部、３４  支持部、４０  引き出しレバー、４１  凸部、４４  飾り板、５４  送風機、５５  インバーター回路基板、５６  制御装置、１００Ａ  加熱調理器、１００Ｂ  加熱調理器、１００Ｃ  加熱調理器、１００Ｄ  加熱調理器、２００  厨房家具、２０１  設置室、２０１Ａ  上開口、２０１Ｂ  前開口、２０２  水槽、２０３  水道、２０４  家具表面材。
【図１】
2017187253.tif 000003
【図２】
2017187253.tif 000004
【図３】
2017187253.tif 000005
【図４】
2017187253.tif 000006
【図５】
2017187253.tif 000007
【図６】
2017187253.tif 000008
【図７】
2017187253.tif 000009
【図８】
2017187253.tif 000010
【図９】
2017187253.tif 000011
【図１０】
2017187253.tif 000012
【図１１】
2017187253.tif 000013
【図１２】
2017187253.tif 000014
【図１３】
2017187253.tif 000015
【図１４】
2017187253.tif 000016